【手続補正書】
【提出日】平成27年8月4日(2015.8.4)
【手続補正１】
【補正対象書類名】特許請求の範囲
【補正対象項目名】全文
【補正方法】変更
【補正の内容】
【特許請求の範囲】
【請求項１】
通信装置であって、
ネットワーク上に存在する認可サービスから、前記認可サービスによってアクセス権限を管理されたリソースに対して有効期限内のアクセス権限を示すトークンを取得する際に用いられるトークン取得情報を取得し、取得した前記トークン取得情報を用いて前記トークンを取得する取得手段と、
前記通信装置と他の装置との通信が一時的か否かを判断する判断手段と、
前記判断手段により前記他の装置との通信が一時的であると判断された場合、前記取得手段により取得された前記トークンを前記他の装置に送信し、前記判断手段により前記他の装置との通信が一時的でないと判断された場合、前記取得手段により取得された前記トークン取得情報を前記他の装置に送信する送信手段と、
を有し、
前記送信手段は、前記判断手段により前記他の装置との通信が一時的であると判断された場合、前記取得手段により取得された前記トークン取得情報は前記他の装置に送信しない通信装置。
【請求項２】
通信装置であって、
ネットワーク上に存在する認可サービスから、前記認可サービスによってアクセス権限を管理されたリソースに対して有効期限内のアクセス権限を示すアクセストークンを取得する際に用いられるトークン取得情報を取得し、取得した前記トークン取得情報を用いて前記アクセストークン、及び、前記アクセストークンを更新するためのリフレッシュトークンを取得する取得手段と、
前記通信装置と他の装置との通信が一時的か否かを判断する判断手段と、
前記判断手段により前記他の装置との通信が一時的であると判断された場合、前記取得手段により取得された前記アクセストークンを前記他の装置に送信し、前記判断手段により前記他の装置との通信が一時的でないと判断された場合、前記取得手段により取得された前記アクセストークンに加え、更に前記リフレッシュトークンを前記他の装置に送信する送信手段と、
を有し、
前記送信手段は、前記判断手段により前記他の装置との通信が一時的であると判断された場合、前記他の装置が前記リソースに対するアクセストークンを前記認可サービスから取得することができないように、前記取得手段により取得された前記トークン取得情報は前記他の装置に送信しない通信装置。
【請求項３】
通信装置であって、
ネットワーク上に存在する認可サービスから、前記認可サービスによってアクセス権限を管理されたリソースに対して有効期限内のアクセス権限を示すトークンを取得する際に用いられるトークン取得情報を取得し、取得した前記トークン取得情報を用いて前記トークンを取得する取得手段と、
前記通信装置と他の装置を接続するためのパラメタを記憶する記憶手段と、
前記記憶手段に記憶された前記通信装置と前記他の装置を接続するためのパラメタが一時的なグループであることを示す場合、前記取得手段により取得された前記トークンを前記他の装置に送信し、前記記憶手段に記憶された前記通信装置と前記他の装置を接続するためのパラメタが永続的なグループであることを示す場合、前記取得手段により取得された前記トークン取得情報を前記他の装置に送信する送信手段と、
を有し、
前記送信手段は、前記記憶手段に記憶された前記通信装置と前記他の装置を接続するためのパラメタが一時的なグループであることを示す場合、前記取得手段により取得された前記トークン取得情報は前記他の装置に送信しない通信装置。
【請求項４】
通信装置であって、
ネットワーク上に存在する認可サービスから、前記認可サービスによってアクセス権限を管理されたリソースに対して有効期限内のアクセス権限を示すアクセストークンを取得する際に用いられるトークン取得情報を取得し、取得した前記トークン取得情報を用いて前記アクセストークン、及び、前記アクセストークンを更新するためのリフレッシュトークンを取得する取得手段と、
前記通信装置と他の装置を接続するためのパラメタを記憶する記憶手段と、
前記記憶手段に記憶された前記通信装置と前記他の装置を接続するためのパラメタが一時的なグループであることを示す場合、前記取得手段により取得された前記アクセストークンを前記他の装置に送信し、前記記憶手段に記憶された前記通信装置と前記他の装置を接続するためのパラメタが永続的なグループであることを示す場合、前記取得手段により取得された前記アクセストークンに加え、更に前記リフレッシュトークンを前記他の装置に送信する送信手段と、
を有し、
前記送信手段は、前記記憶手段に記憶された前記通信装置と前記他の装置を接続するためのパラメタが一時的なグループであることを示す場合、前記他の装置が前記リソースに対するアクセストークンを前記認可サービスから取得することができないように、前記取得手段により取得された前記トークン取得情報は前記他の装置に送信しない通信装置。
【請求項５】
前記他の装置との通信を継続しない場合、前記認可サービスに対して、前記トークン、又は前記トークン取得情報の無効化を要求する要求手段を更に有する請求項１又は３記載の通信装置。
【請求項６】
前記他の装置との通信を継続しない場合、前記認可サービスに対して、前記アクセストークン、又は前記トークン取得情報の無効化を要求する要求手段を更に有する請求項２又は４記載の通信装置。
【請求項７】
前記他の装置との無線通信接続に関する無線パラメタが削除される場合、前記認可サービスに対して、前記トークン、又は前記トークン取得情報の無効化を要求する要求手段を更に有する請求項１又は３記載の通信装置。
【請求項８】
前記他の装置との無線通信接続に関する無線パラメタが削除される場合、前記認可サービスに対して、前記アクセストークン、又は前記トークン取得情報の無効化を要求する要求手段を更に有する請求項２又は４記載の通信装置。
【請求項９】
第１の通信装置と、第２の通信装置と、を含む通信システムであって、
前記第１の通信装置は、
ネットワーク上に存在する認可サービスから、前記認可サービスによってアクセス権限を管理されたリソースに対して有効期限内のアクセス権限を示すトークンを取得する際に用いられるトークン取得情報を取得し、取得した前記トークン取得情報を用いて前記トークンを取得する取得手段と、
前記第１の通信装置と前記第２の通信装置との通信が一時的か否かを判断する判断手段と、
前記判断手段により前記第２の装置との通信が一時的であると判断された場合、前記取得手段により取得された前記トークンを前記第２の装置に送信し、前記判断手段により前記第２の通信装置との通信が一時的でないと判断された場合、前記取得手段により取得された前記トークン取得情報を前記第２の通信装置に送信する送信手段と、
を有し、
前記送信手段は、前記判断手段により前記第２の装置との通信が一時的であると判断された場合、前記取得手段により取得された前記トークン取得情報は前記第２の装置に送信せず、
前記第２の通信装置は、
前記トークン取得情報を前記第１の通信装置より受信すると、前記トークン取得情報を用いて前記認可サービスより前記トークンを取得するトークン取得手段と、
前記トークン取得手段により取得された前記トークンを用いて前記リソースに対してアクセスを行うアクセス手段と、
を有する通信システム。
【請求項１０】
通信装置が実行する情報処理方法であって、
ネットワーク上に存在する認可サービスから、前記認可サービスによってアクセス権限を管理されたリソースに対して有効期限内のアクセス権限を示すトークンを取得する際に用いられるトークン取得情報を取得し、取得した前記トークン取得情報を用いて前記トークンを取得する取得ステップと、
前記通信装置と他の装置との通信が一時的か否かを判断する判断ステップと、
前記判断ステップにより前記他の装置との通信が一時的であると判断された場合、前記取得ステップにより取得された前記トークンを前記他の装置に送信し、前記判断ステップにより前記他の装置との通信が一時的でないと判断された場合、前記取得ステップにより取得された前記トークン取得情報を前記他の装置に送信する送信ステップと、
を含み、
前記送信ステップでは、前記判断ステップにより前記他の装置との通信が一時的であると判断された場合、前記取得ステップにより取得された前記トークン取得情報は前記他の装置に送信しない情報処理方法。
【請求項１１】
通信装置が実行する情報処理方法であって、
ネットワーク上に存在する認可サービスから、前記認可サービスによってアクセス権限を管理されたリソースに対して有効期限内のアクセス権限を示すアクセストークンを取得する際に用いられるトークン取得情報を取得し、取得した前記トークン取得情報を用いて前記アクセストークン、及び、前記アクセストークンを更新するためのリフレッシュトークンを取得する取得ステップと、
前記通信装置と他の通信装置との通信が一時的か否かを判断する判断ステップと、
前記判断ステップにより前記他の通信装置との通信が一時的でないと判断された場合、前記取得ステップにより取得された前記トークン取得情報を前記他の通信装置に送信し、前記判断ステップにより前記他の装置との通信が一時的でないと判断された場合、前記取得ステップにより取得された前記アクセストークンに加え、更に前記リフレッシュトークンを前記他の装置に送信する送信ステップと、
を含み、
前記送信ステップでは、前記判断ステップにより前記他の装置との通信が一時的であると判断された場合、前記他の装置が前記リソースに対するアクセストークンを前記認可サービスから取得することができないように、前記取得ステップにより取得された前記トークン取得情報は前記他の装置に送信しない情報処理方法。
【請求項１２】
コンピュータに、
ネットワーク上に存在する認可サービスから、前記認可サービスによってアクセス権限を管理されたリソースに対して有効期限内のアクセス権限を示すトークンを取得する際に用いられるトークン取得情報を取得し、取得した前記トークン取得情報を用いて前記トークンを取得する取得手順と、
前記コンピュータと他の装置との通信が一時的か否かを判断する判断手順と、
前記判断手順により前記他の装置との通信が一時的であると判断された場合、前記取得手順により取得された前記トークンを前記他の装置に送信し、前記判断手順により前記他の装置との通信が一時的でないと判断された場合、前記取得手順により取得された前記トークン取得情報を前記他の装置に送信する送信手順と、
を実行させ、
前記送信手順では、前記判断手順により前記他の装置との通信が一時的であると判断された場合、前記取得手順により取得された前記トークン取得情報は前記他の装置に送信しないプログラム。
【請求項１３】
コンピュータに、
ネットワーク上に存在する認可サービスから、前記認可サービスによってアクセス権限を管理されたリソースに対して有効期限内のアクセス権限を示すアクセストークンを取得する際に用いられるトークン取得情報を取得し、取得した前記トークン取得情報を用いて前記アクセストークン、及び、前記アクセストークンを更新するためのリフレッシュトークンを取得する取得手順と、
前記コンピュータと他の装置との通信が一時的か否かを判断する判断手順と、
前記判断手順により前記他の装置との通信が一時的であると判断された場合、前記取得手順により取得された前記アクセストークンを前記他の装置に送信し、前記判断手順により前記他の装置との通信が一時的でないと判断された場合、前記取得手順により取得された前記アクセストークンに加え、更に前記リフレッシュトークンを前記他の装置に送信する送信手順と、
を実行させ、
前記送信手順では、前記判断手順により前記他の装置との通信が一時的であると判断された場合、前記他の装置が前記リソースに対するアクセストークンを前記認可サービスから取得することができないように、前記取得手順により取得された前記トークン取得情報は前記他の装置に送信しないプログラム。
【手続補正２】
【補正対象書類名】明細書
【補正対象項目名】０００７
【補正方法】変更
【補正の内容】
【０００７】
そこで、本発明は、通信装置であって、ネットワーク上に存在する認可サービスから、前記認可サービスによってアクセス権限を管理されたリソースに対して有効期限内のアクセス権限を示すトークンを取得する際に用いられるトークン取得情報を取得し、取得した前記トークン取得情報を用いて前記トークンを取得する取得手段と、前記通信装置と他の装置との通信が一時的か否かを判断する判断手段と、前記判断手段により前記他の装置との通信が一時的であると判断された場合、前記取得手段により取得された前記トークンを前記他の装置に送信し、前記判断手段により前記他の装置との通信が一時的でないと判断された場合、前記取得手段により取得された前記トークン取得情報を前記他の装置に送信する送信手段と、を有し、前記送信手段は、前記判断手段により前記他の装置との通信が一時的であると判断された場合、前記取得手段により取得された前記トークン取得情報は前記他の装置に送信しない。